(57)【特許請求の範囲】
【請求項１】
焼却炉用のスラスト火格子であって、
複数の火格子棒列（２ａ，２ｂ）を備え、これらの火格子棒列（２ａ，２ｂ）は、それぞれ１つの火格子棒支持体（５ａ，５ｂ）を有し、複数の火格子棒（３ａ，３ｂ）が、それらの第１端部（４ａ，４ｂ）を介して火格子棒支持体（５ａ，５ｂ）と連結されており、
火格子棒（３ａ，３ｂ）の表面（７ａ，７ｂ）は、流れ方向（Ｆ）に沿って可燃物層（１）を搬送するためのスラスト火格子面（８）を形成し、
隣接する火格子棒列（２ａ，２ｂ）の火格子棒（３ａ，３ｂ）は、それぞれの火格子棒（３ａ，３ｂ）の第２端部（６ａ，６ｂ）が、流れ方向（Ｆ）で隣接する火格子棒（３ａ，３ｂ）の表面（７ａ，７ｂ）上で支えられるように、屋根瓦状に上下に重なり合っており、
火格子棒列（２ａ，２ｂ）の少なくとも幾つかは、駆動手段（９）を介した駆動式の火格子棒列（２ａ）であり、駆動式の火格子棒列（２ａ）の火格子棒（３ａ）には、駆動手段（９）を介して第１駆動運動（Ａ１）が導入可能であり、それにより駆動式の火格子棒列（２ａ）の火格子棒（３ａ）と、非駆動式の火格子棒列（２ｂ）の火格子棒（３ｂ）との間に所定の相対運動が得られる、前記スラスト火格子において、
少なくとも幾つかの火格子棒列（２ａ，２ｂ）の火格子棒（３ａ，３ｂ）の表面（７ａ，７ｂ）は、非平面の表面輪郭部（１３ａ，１３ｂ）を有し、それにより非平面の表面輪郭部（１３ａ，１３ｂ）上で第２端部（６ａ，６ｂ）が支えられる火格子棒（３ａ，３ｂ）には、駆動式と非駆動式の火格子棒列（２ａ，２ｂ）の火格子棒（３ａ，３ｂ）の間の相対運動により第２駆動運動（Ａ２）が導入可能であり、
非駆動式の火格子棒列（２ｂ）の火格子棒（３ｂ）の第２火格子棒運動（Ｂｂ）が、第２端部（６ｂ）を介して誘起された第２駆動運動（Ａ２）から得られ、それぞれの火格子棒（３ａ，３ｂ）の複雑な火格子棒運動（Ｂａ，Ｂｂ）がもたらされること
を特徴とするスラスト火格子。
【請求項２】
駆動式の火格子棒列（２ａ）の火格子棒（３ａ）の第１火格子棒運動（Ｂａ）が、第１端部（４ａ）を介して誘起された第１駆動運動（Ａ１）と、第２端部（６ａ）を介して誘起された第２駆動運動（Ａ２）とから構成されていること
を特徴とする、請求項１に記載のスラスト火格子。
【請求項３】
少なくとも幾つかの火格子棒列（２ａ，２ｂ）の火格子棒（３ａ，３ｂ）の非平面の表面輪郭部（１３ａ，１３ｂ）は、流れ方向（Ｆ）に延在する曲線形状（Ｋ）を有すること
を特徴とする、請求項１又は２に記載のスラスト火格子。
【請求項４】
−  全ての火格子棒列（２ａ，２ｂ）、又は
−  駆動式の火格子棒列（２ａ）だけ、又は
−  非駆動式の火格子棒列（２ｂ）だけ
の火格子棒（３ａ，３ｂ）が、流れ方向（Ｆ）に延在する曲線形状（Ｋ）を有すること
を特徴とする、請求項３に記載のスラスト火格子。
【請求項５】
曲線形状（Ｋ）は、所定の半径（Ｒ１，Ｒ２，Ｒ３，Ｒ４）を有する少なくとも１つの曲線領域（Ｋ１，Ｋ２，Ｋ３，Ｋ４）を有すること
を特徴とする、請求項３又は４に記載のスラスト火格子。
【請求項６】
隣接する曲線領域（Ｋ１，Ｋ２，Ｋ３，Ｋ４）が、異なる半径（Ｒ１，Ｒ２，Ｒ３，Ｒ４）を有すること
を特徴とする、請求項５に記載のスラスト火格子。
【請求項７】
少なくとも１つの曲線領域（Ｋ１，Ｋ２，Ｋ３，Ｋ４）が、凹状又は凸状で湾曲されており、及び／又は曲線形状（Ｋ）において隣接する曲線領域（Ｋ１，Ｋ２，Ｋ３，Ｋ４）が、異なる湾曲部を有すること
を特徴とする、請求項５又は６に記載のスラスト火格子。
【請求項８】
１つおきの火格子棒列（２ａ）が、駆動手段（９）を介した駆動式の火格子棒列（２ａ）であること
を特徴とする、請求項１〜７のいずれか一項に記載のスラスト火格子。
【請求項９】
−  各火格子棒列（２ａ，２ｂ）、又は
−  駆動式の火格子棒列（２ａ）だけ、又は
−  非駆動式の火格子棒列（２ｂ）だけ
の火格子棒（３ａ，３ｂ）が、それぞれの火格子棒支持体（５ａ，５ｂ）に回転可能に支持されていること
を特徴とする、請求項１〜８のいずれか一項に記載のスラスト火格子。
【請求項１０】
第１駆動運動（Ａ１）は、円弧形状で又は直線的に延在すること
を特徴とする、請求項１〜９のいずれか一項に記載のスラスト火格子。
【請求項１１】
駆動手段（９）は、トーションシャフト（１０）に固定されたトーションレバー（１１，１１ｂ）を有し、これらのトーションレバー（１１ａ，１１ｂ）は、リニアアクチュエータ（１２）を駆動式の火格子棒支持体（５ａ）と連結し、リニアアクチュエータ（１２）の操作時には、トーションシャフト（１０）により規定された第２回転軸線（Ｄ２）の周りの円弧形状の第１駆動運動（Ａ１）がもたらされること
を特徴とする、請求項１０に記載のスラスト火格子。
【発明の詳細な説明】
【技術分野】
【０００１】
本発明は、請求項１の前提概念に記載した、特に廃棄物焼却設備における焼却炉用のスラスト火格子に関する。
【背景技術】
【０００２】
この種のスラスト火格子（前後動式火格子）は、例えば、廃棄物が可燃物（燃料）として焼却される廃棄物焼却設備で使用される。スラスト火格子は、多くの場合、個々の火格子棒列から成り、これらの火格子棒列は、可燃物の流れ方向で相前後して配置されており、この際、屋根瓦状に上下に重なり合っている。１つの火格子棒列の複数の火格子棒は、１つの火格子棒支持体上に支持されている。１つおきの火格子棒支持体には、該当の駆動式の火格子棒列に駆動運動を導入する駆動部が係合する。それにより駆動式の火格子棒列は、非駆動式の固定の火格子棒列に対して動かされる。
【０００３】
駆動式の火格子棒列の運動は、一方では、燃焼を通じてスラスト火格子のスラスト火格子面上に加えられる可燃物の搬送をもたらし、他方では、可燃物層の掻き立てをもたらす。この際、スラスト火格子面は、個々の火格子棒の表面により構成される。既知のスラスト火格子では、駆動部により、トーションシャフトとトーションレバーを介し、円弧形状の第１駆動運動が火格子棒支持体に導入され、それにより、例えば下記特許文献１に記載されているように、駆動式の火格子棒支持体に支持された火格子棒において対応的にその運動に依存する火格子棒運動が得られる。或いは、リンク機構を介した直線的な第１駆動運動も可能であり、この際、それに基づき、駆動式の火格子棒支持体に支持された火格子棒の直線的な火格子棒運動が得られる。
【０００４】
更に下記特許文献２では、トーションシャフトを備えたスラスト火格子について記載され、そのシャフトベアリングは、火格子棒列の駆動を再び直線的な駆動方向に従って行うことができるように、高さ調整可能である。
【先行技術文献】
【特許文献】
【０００５】
【特許文献１】US 6,332,410 B1
【特許文献２】DE 30 07 678 C2
【発明の概要】
【発明が解決しようとする課題】
【０００６】
この際、トーションシャフト又はリンク機構が、例えばベアリング又はガイドのような付属の機械要素と一緒に必然的に下部送風部の領域にあることは不利であり、その領域においてそれらは、故障傾向を増すことになる。つまり、火格子棒支持体を介して火格子棒列並びに火格子棒のより複雑な運動形状を実現することが意図されている場合には、下部送風部内でそのために追加的に必要とされる機械的な駆動要素が故障傾向を増すことになり、このことは、燃焼プロセスの信頼性を低下させてしまう。
【０００７】
それ故、本発明の課題は、故障傾向が少なく、従って信頼性が高いにもかかわらず、火格子棒列のより複雑な運動形状も表すことのできるスラスト火格子を提供することである。
【課題を解決するための手段】
【０００８】
前記課題は、請求項１に記載のスラスト火格子により解決される。好ましい更なる構成は、下位請求項に記載されている。
【０００９】
従って、本発明により、特に廃棄物焼却設備における冒頭に掲げた焼却炉用のスラスト火格子において少なくとも幾つかの火格子棒列の火格子棒の表面が、非平面の表面輪郭部を有することが規定されており、それにより非平面の表面輪郭部上で第２端部が支えられる火格子棒には、駆動式と非駆動式の火格子棒列の火格子棒の間の相対運動により第２駆動運動が導入可能である。
【００１０】
有利には、それにより、スラスト火格子の火格子棒の複雑な火格子棒運動を生じさせることができ、この際、この複雑な火格子棒運動は、いずれにせよ設けられている火格子棒の表面形状により達成される。従って下部送風部内での従来の駆動手段の適合は不必要であり、それにより故障傾向が更に増すことはない。この際、それらの駆動手段は、従来どおり、スラスト火格子の火格子棒列の少なくとも幾つか、好ましくは１つおきの火格子棒列が駆動されることをもたらし、この際、それに加え、火格子棒には、駆動手段を介して第１駆動運動が導入可能であり、それにより駆動式の火格子棒列の火格子棒と、非駆動式の火格子棒列の火格子棒、即ち駆動手段を介しては駆動されない火格子棒列の火格子棒との間に所定の相対運動が得られる。第１端部を介して火格子棒に導入されるこの第１駆動運動には、本発明により、第２端部を介して導入される第２駆動運動が重ね合わされる。
【００１１】
このことから、好ましくは、次のことが結果として得られ、即ち、
−  駆動式の火格子棒列の火格子棒の第１火格子棒運動は、第１端部を介して誘起された第１駆動運動と、第２端部を介して誘起された第２駆動運動とから得られ、及び／又は、
−  非駆動式の火格子棒列の火格子棒の第２火格子棒運動は、第２端部を介して誘起された第２駆動運動から得られる。
【００１２】
つまり、どの火格子棒が非平面の表面輪郭部を有するのかに応じ、それぞれの火格子棒列において複雑な運動形状を発生させることができ、これらの運動形状により可燃物層の搬送及び／又は掻き立てを改善することができ、この際、スラスト火格子の故障傾向が増すことはない。
【００１３】
好ましくは、更に、少なくとも幾つかの火格子棒列の火格子棒の非平面の表面輪郭部が、流れ方向に延在する曲線形状（曲線プロフィール）を有することが規定されている。それにより有利には、それぞれの火格子棒の第２端部が重力に基づき火格子棒の間の相対運動により曲線形状に沿って滑動するときに、予め設定可能な曲線形状に従う第２駆動運動を発生させることができる。それにより、複雑な運動経過に従う可燃物層の輸送と掻き立てを可能にするために、曲線形状の延在経過に応じ、流れ方向における方向成分と、流れ方向に対して直角の方向成分、即ち上方への方向成分とを有する火格子棒運動がもたらされる。
【００１４】
好ましくは、更に、
−  全ての火格子棒列、又は
−  駆動式の火格子棒列だけ、又は
−  非駆動式の火格子棒列だけ
の火格子棒が、流れ方向に延在する曲線形状を有し、その他の火格子棒は、例えば平面で構成されていることが規定されている。それにより、どの火格子棒列が複雑な運動経過を実行すべきであるかをフレキシブルに確定することができる。用途に応じ、例えば、第２駆動運動が非駆動式の火格子棒列だけに導入され、駆動式の火格子棒列が第１駆動運動によってのみ駆動手段により能動的に駆動されることを規定することができる。そのためには、駆動式の火格子棒列だけに曲線形状を設ければよい。
【００１５】
好ましくは、更に、曲線形状が、所定の固定された半径を有する少なくとも１つの曲線領域を有することが規定されている。従って火格子棒の表面は、所定の半径で湾曲されており、この所定の半径を有する火格子棒に沿って、その上で支えられる火格子棒のそれぞれの第２端部は、連続的に滑動することができる。特に曲線領域が複数ある場合には、隣接する曲線領域が異なる半径を有することを規定することができる。それにより例えば、上下の運動、又は火格子棒の間の相対運動に応じ、スラスト火格子面の所定の周期的な運動を達成することができる。
【００１６】
好ましくは、それに加え、更に、少なくとも１つの曲線領域が、凹状又は凸状でそれぞれの半径で湾曲されており、及び／又は曲線形状において隣接する曲線領域が異なる湾曲部、例えば、凸状の湾曲部と凹状の湾曲部を交互に有することが規定されている。それにより、搬送と掻き立てを最適化するために、適切に予め設定された複雑な運動経過（上下動）を発生させることができる。
【００１７】
好ましくは、更に、
−  各火格子棒列、又は
−  駆動式の火格子棒列だけ、又は
−  非駆動式の火格子棒列だけ
の火格子棒が、それぞれの火格子棒支持体に回転可能に支持されていることが規定されている。それによりそれぞれの火格子棒への両方の駆動運動の導入の形式を選択することに応じ、複雑な運動経過を達成することができる。
【００１８】
好ましくは、更に、第１駆動運動が、円弧形状（円形セグメント形状）で又は直線的に延在することが規定されている。従って、簡単に且つ大きな故障傾向を伴うことなく第１駆動運動を火格子棒の第１端部に伝達させることのできる下部送風部内の駆動手段を選択することができる。例えば、それらの駆動手段は、トーションシャフトに固定されたトーションレバーを有することができ、これらのトーションレバーは、リニアアクチュエータを、例えば液圧シリンダを、駆動式の火格子棒支持体と連結し、リニアアクチュエータの操作時には、トーションシャフトにより規定された第２回転軸線の周りの円弧形状の第１駆動運動がもたらされる。対応する方式で、直線的な運動をリニアアクチュエータからリンク機構を介して第１端部に伝達させることができ、それにより第１端部は、同様に直線的に動かされる。
【００１９】
従って、有利には、火格子棒自体が、第２駆動運動を介し、より複雑な運動を目指して直線的な或いは円弧形状の第１駆動運動に影響を及ぼすことにより、火格子棒支持体の直線的な又は円弧形状の運動を生じさせる従来技術の駆動部を用い、火格子棒列ないし火格子棒の複雑な運動形状も達成することができる。この際、本発明による火格子棒の形状は、従来技術におけるよりも高い故障傾向の原因になることはなく、それにより潜在的に故障傾向にある追加的な駆動メカニズムは不必要である。
【００２０】
以下、本発明を図面に基づき、詳細に説明する。
【図面の簡単な説明】
【００２１】
【図１】引き込められた駆動位置におけるスラスト火格子の一部分を断面図として示す図である。
【図２】図１の引き込められた駆動位置におけるスラスト火格子の一部分を斜視図として示す図である。
【図３】繰り出された駆動位置におけるスラスト火格子の一部分を断面図として示す図である。
【図４】図３の繰り出された駆動位置におけるスラスト火格子の一部分を斜視図として示す図である。
【図５ａ】火格子棒の曲線形状の一例を示す図である。
【図５ｂ】火格子棒の曲線形状の一例を示す図である。
【発明を実施するための形態】
【００２２】
図１では断面図として、図２では斜視図として、特に廃棄物焼却設備における焼却炉１０１用のスラスト火格子１００が図示されており、スラスト火格子１００上には、例えば焼却される廃棄物から成る可燃物層１が焼却プロセス中に加えられている。スラスト火格子１００は、流れ方向Ｆに沿って配置された複数の火格子棒列２ａ，２ｂを有し、これらの火格子棒列２ａ，２ｂは、それぞれ、横方向Ｑ（流れ方向Ｆに対して直角）に相並んで位置する火格子棒３ａ，３ｂから構成されている。
【００２３】
火格子棒列２ａ，２ｂの火格子棒３ａ，３ｂは、第１端部４ａ，４ｂを介して火格子棒支持体５ａ，５ｂ上に支持されており、それにより各火格子棒３ａ，３ｂは、それぞれの火格子棒支持体５ａ，５ｂにより規定される第１回転軸線Ｄ１の周りで回転することができる。個々の火格子棒列２ａ，２ｂの火格子棒３ａ，３ｂは、更に屋根瓦状に上下に重なり合っており、つまりこの際、それぞれの火格子棒３ａ，３ｂの第２端部６ａ，６ｂは、重力により、流れ方向Ｆで見て隣接する火格子棒３ａ，３ｂの表面７ａ，７ｂ上で支えられている。従って個々の火格子棒３ａ，３ｂの表面７ａ，７ｂは、全体的なスラスト火格子面８を形成し、このスラスト火格子面８上で可燃物層１が搬送され、掻き立てられ、燃焼される。
【００２４】
この実施形態によると、１つおきの火格子棒支持体５ａ（駆動式の火格子棒支持体）が、燃焼炉１０１の下部送風部２００内に配置されている駆動手段９と協働する。それらの間に位置する火格子棒支持体５ｂ（非駆動式の火格子棒支持体）は、非駆動式である。駆動手段９を介し、第１駆動運動Ａ１（図３及び図４を参照）を、駆動式の火格子棒支持体５ａに導入し、従ってそれらの上に支持された火格子棒３ａにおける第１端部４ａにも導入することができる。
【００２５】
第１駆動運動Ａ１は、円弧形状（図３及び図４で鎖線表示）で形成されていることが可能であり、この際、駆動手段９は、そのためにトーションシャフト１０に固定された少なくとも２つのトーションレバー１１ａ，１１ｂを有し、これらのトーションレバー１１ａ，１１は、リニアアクチュエータ１２を、例えば液圧シリンダを、駆動式の火格子棒支持体５ａと連結する。従ってリニアアクチュエータ１２の操作により、トーションシャフト１０により規定される第２回転軸線Ｄ２の周りの円弧形状の第１駆動運動Ａ１を生じさせることができ、それにより第２回転軸線Ｄ２の周りの駆動式の火格子棒支持体５ａの円弧形状の運動、並びにその上に支持された火格子棒３ａにおける第１端部４ａの円弧形状の運動が得られる。
【００２６】
しかし基本的に、直線的な第１駆動運動Ａ１（図３及び図４で一点鎖線表示）を生じさせ、従って駆動式の火格子棒支持体５ａの直線的な運動、並びにその上に支持された火格子棒３ａにおける第１端部４ａの直線的な運動を生じさせる駆動手段９も可能である。
【００２７】
円弧形状の又は直線的な第１駆動運動Ａ１により、駆動式の火格子棒支持体５ａに支持された火格子棒３ａの第１火格子棒運動Ｂａが既に得られ、この第１火格子棒運動Ｂａは、流れ方向Ｆにも（流れ方向Ｆに対して及び横方向Ｑに対して）直角に上方にも、方向成分を有し、それにより可燃物層１を流れ方向Ｆに沿って搬送すると同時に掻き立てることもできる。
【００２８】
このことを最適化するために、個々の火格子棒３ａ，３ｂの表面７ａ，７ｂは、第２駆動運動Ａ２がそれぞれの火格子棒３ａ，３ｂの第２端部６ａ，６ｂを介してそれぞれの火格子棒３ａ，３ｂに導入されるように形成されている（図３及び図４を参照）。この第２駆動運動Ａ２は、図示された実施形態によると、以下で説明するように、駆動式の火格子棒支持体５ａに支持されている火格子棒３ａにも、非駆動式の火格子棒支持体５ｂに支持されている火格子棒３ｂにも導入される。
【００２９】
それぞれの火格子棒３ａ，３ｂの表面７ａ，７ｂは、断面において、曲線形状（曲線プロフィール）Ｋの形式による非直線的な表面輪郭部１３ａ，１３ｂを有する。それにより、その上で支えられる第２端部６ａ，６ｂであって流れ方向Ｆに対向して隣接するそれぞれの火格子棒３ａ，３ｂにおける第２端部６ａ，６ｂは、曲線形状Ｋ上での位置に応じ、上方に又は下方に動かされ、それにより第２駆動運動Ａ２が得られる。従ってそれぞれの火格子棒３ａ，３ｂの第２端部６ａ，６ｂに導入される第２駆動運動Ａ２は、特に、流れ方向Ｆで隣接する火格子棒３ａ，３ｂにおける曲線形状Ｋ上での第２端部６ａ，６ｂの位置に依存している。
【００３０】
つまりまとめると、駆動式の火格子棒支持体５ａに支持されている火格子棒３ａのためには、第１駆動運動Ａ１と第２駆動運動Ａ２からの組み合わせである第１火格子棒運動Ｂａが得られる。非駆動式の火格子棒支持体５ｂで支持されている火格子棒３ｂのためには、第２駆動運動Ａ２からのみ生じる第２火格子棒運動Ｂｂが得られる。この際、第２駆動運動Ａ２は、それぞれ、それぞれの表面輪郭部１３ａ，１３ｂの曲線形状Ｋにより決定され、この際、この曲線形状Ｋは、それ自体、定置ではなく、それは、火格子棒３ａ，３ｂの表面７ａ，７ｂがそれぞれの火格子棒運動Ｂａ，Ｂｂに基づいて同様に動くためである。つまり第１駆動運動Ａ１及び／又は第２駆動運動Ａ２により、それぞれの火格子棒３ａ，３ｂの複雑な火格子棒運動Ｂａ，Ｂｂがもたらされる。つまり搬送プロセスと掻き立てプロセスは、そのようなスラスト火格子１００により最適化される。
【００３１】
図５ａと図５ｂには、曲線形状Ｋの例が図示されており、図５ａでは、それぞれの火格子棒３ａ，３ｂの第１端部４ａ，４ｂに向かって、第１半径Ｒ１を有する第１曲線領域Ｋ１が得られ、第２端部６ａ，６ｂに向かって、第２半径Ｒ２を有する第２曲線領域Ｋ２が得られている。この実施形態によると、一方では、第１半径Ｒ１は、第２半径Ｒ２よりも小さく、他方では、第１曲線領域Ｋ１は、凹状に湾曲され、第２曲線領域Ｋ２は、凸状に湾曲されている。
【００３２】
しかしまた、火格子棒３ａ，３ｂごとに、凸状又は凹状に湾曲されている１つの曲線領域Ｋ１だけが設けられていることも可能であり、或いはまた、例えばＳ字形状又は波形状（図５ｂを参照）を構成するために、異なる湾曲部及び／又は異なる半径Ｒ１，Ｒ２，Ｒ３，Ｒ４，... を有する２つよりも多くの曲線領域Ｋ１，Ｋ２，Ｋ３，Ｋ４，... が設けられていることも可能である。
【００３３】
また、駆動式の火格子棒支持体５ａに支持されている火格子棒３ａが、非駆動式の火格子棒支持体５ｂに支持されている火格子棒３ｂとは異なる曲線形状Ｋを有することも可能である。
【００３４】
また基本的に、１つおきの火格子棒列２ａ，２ｂ（駆動式又は非駆動式）の火格子棒３ａ，３ｂだけが曲線形状Ｋを有し、他の火格子棒３ａ，３ｂが平面の表面７ａ，７ｂを有することを規定することもできる。それにより曲線形状Ｋから生じる第２駆動運動Ａ２の部分は、１つおきの火格子棒列２ａ，２ｂだけに導入される。それに対応し、それぞれの火格子棒支持体５ａ，５ｂにおける火格子棒３ａ，３ｂの支持機構も、１つおきの火格子棒列２ａ，２ｂのためだけに、特に駆動式の火格子棒列２ａのためだけに設けられていることが可能である。
【００３５】
それにより、全体として、火格子棒３ａ，３ｂの第１端部４ａ，４ｂ及び第２端部６ａ，６ｂを介した両方の駆動運動Ａ１，Ａ２の組み合わせから、複雑な火格子棒運動Ｂａ，Ｂｂを達成することができ、そのために駆動手段９を変更する必要はなく、或いは下部送風部２００内に更なる大掛かりな駆動手段を位置決めする必要もなく、それにより故障傾向は、この解決策により増すことはなく、信頼性も維持されたままである。
【符号の説明】
【００３６】
１                可燃物層
２ａ              駆動式の火格子棒列
２ｂ              非駆動式の火格子棒列
３ａ              駆動式の火格子棒支持体５ａの火格子棒
３ｂ              非駆動式の火格子棒支持体５ｂの火格子棒
４ａ，４ｂ        火格子棒３ａ，３ｂの第１端部
５ａ              駆動式の火格子棒支持体
５ｂ              非駆動式の火格子棒支持体
６ａ，６ｂ        火格子棒３ａ，３ｂの第２端部
７ａ，７ｂ        火格子棒３ａ，３ｂの表面
８                スラスト火格子面
９                駆動手段
１０              トーションシャフト
１１ａ，１１ｂ    トーションレバー
１２              リニアアクチュエータ
１３ａ            火格子棒３ａの表面輪郭部
１３ｂ            火格子棒３ｂの表面輪郭部
１００            スラスト火格子
１０１            焼却炉
２００            下部送風部
Ａ１              第１駆動運動
Ａ２              第２駆動運動
Ｂａ              火格子棒３ａの火格子棒運動
Ｂｂ              火格子棒３ｂの火格子棒運動
Ｄ１              第１回転軸線
Ｄ２              第２回転軸線
Ｆ                流れ方向
Ｋ                曲線形状
Ｋ１，Ｋ２，Ｋ３，Ｋ４…    第１、第２、第３、第４… の曲線領域
Ｑ                横方向
Ｒ１，Ｒ２，Ｒ３，Ｒ４…    第１、第２、第３、第４… の半径
【図１】
0006986612.tif 000002
【図２】
0006986612.tif 000003
【図３】
0006986612.tif 000004
【図４】
0006986612.tif 000005
【図５ａ】
0006986612.tif 000006
【図５ｂ】
0006986612.tif 000007